(57)【要約】【課題】空調装置のように空気を供給する装置で空気に香りを与える構成において、異なる香料を用いる場合に香料が混ざってしまうのを抑制する。【解決手段】１種類の香料が貯留される貯留部（11）と、香料を微粒化する機構を備えた微粒化部（12）と、微粒化した香料を吹き出す吹出部（13）と、を1つのユニットとして構成し、微粒化部（12）を外部から制御する制御部（30）を接続する接続部（15）を、貯留部（11）内の香料が微粒化部（12）を介して吹出部（13）へ供給される香料供給経路（14）以外の位置に設ける。【選択図】図２
2019213681.tif 000002
【特許請求の範囲】
【請求項１】
１種類の香料が貯留される貯留部（11）と、
上記貯留部（11）内の香料を微粒化する機構を備えた微粒化部（12）と、
上記微粒化部（12）を構成する部材または微粒化部（12）とは別の部材に設けられ、微粒化した香料を吹き出す吹出部（13）と、
上記貯留部（11）内の香料が微粒化部（12）を介して吹出部（13）へ供給される香料供給経路（14）と、
上記微粒化部（12）を外部から制御する制御部（30）が、上記香料供給経路（14）以外の位置で接続されるように配置された接続部（15）と、
を備えていることを特徴とする香料微粒化ユニット。
【請求項２】
請求項１において、
上記微粒化部（12）は、駆動流体の流入口（25a）と、香料を吸入する吸入口（25b）とを備え、駆動流体を香料に混合して香料を微粒化する二流体ノズル（25）を備えた流体混合式微粒化部（22）である
ことを特徴とする香料微粒化ユニット。
【請求項３】
請求項１において、
上記微粒化部（12）は、上記香料が導入される微粒化容器（47）と、該微粒化容器（47）に装着され、パルス電圧により該微粒化容器（47）の内容積の縮小及び復帰を繰り返すように該微粒化容器（47）に装着された圧電素子（45）と、を備えた圧電式微粒化部（42）である
ことを特徴とする香料微粒化ユニット。
【請求項４】
請求項１において、
上記微粒化部（12）は、上記香料に電圧を印加する電圧印加部（55d）と、上記香料が導入されて噴霧される噴霧ノズル（55a）とを備えた静電噴霧式微粒化部（52）である
ことを特徴とする香料微粒化ユニット。
【請求項５】
貯留部（11）内に貯留された１種類の香料を微粒化する微粒化部（12）と、微粒化された香料を吹き出す吹出部（13）とを一体に有する香料カートリッジ（10）と、
上記香料カートリッジ（10）が装着されるカートリッジ装着部（102）と、空気通路（103）を流れる空気が吹き出される空気吹出口（104）とを有するケーシング（101）と、を備えた空気供給装置であって、
上記香料カートリッジ（10）は、請求項１から４の何れか１つの香料微粒化ユニットにより構成され、
上記カートリッジ装着部（102）は、上記香料カートリッジ（10）が上記空気通路（103）を流れる空気に香りを与える位置で上記ケーシング（101）に着脱可能に構成され、
上記制御部（30）は上記ケーシング（101）に固定されている
ことを特徴とする空気供給装置。
【請求項６】
貯留部（11）内に貯留された１種類の香料を微粒化する微粒化部（12）と、微粒化された香料を吹き出す吹出部（13）とを一体に有し、請求項１から４の何れか１つの香料微粒化ユニットにより構成された香料カートリッジ（10）が装着されるカートリッジ装着部（102）と、
空気通路（103）を流れる空気が吹き出される空気吹出口（104）と、を有するケーシング（101）を備えた空気供給装置であって、
上記カートリッジ装着部（102）は、上記香料カートリッジ（10）が上記空気通路（103）を流れる空気に香りを与える位置で上記ケーシング（101）に着脱可能に構成され、
上記制御部（30）は上記ケーシング（101）に固定されている
ことを特徴とする空気供給装置。
【発明の詳細な説明】
【技術分野】
【０００１】
本開示は、香料微粒化ユニット及び空気供給装置に関するものである。
【背景技術】
【０００２】
特許文献１には、香り発生装置を備えた空調装置が開示されている。香り発生装置は、液体香料を貯留した貯留部（香料タンク）と、香料が供給されて微粒（微噴霧）を発生する微粒化部（微噴霧発生部）を備えた供給管ヘッダと、供給管ヘッダから室内へ香料を供給する供給管と、供給管ヘッダの残留香料を回収するドレン機構とを備えている。
【先行技術文献】
【特許文献】
【０００３】
【特許文献１】特開平０４−２６１６６３号公報
【発明の概要】
【発明が解決しようとする課題】
【０００４】
特許文献１の香り発生装置では、種類が異なる香料を貯留した香料タンクを用いる場合には、ドレン機構で供給管ヘッダの残留香料を回収するようにしているが、ある程度の香料は、空調装置に設けられている微粒化部や供給管ヘッダに残ってしまうと考えられる。したがって、異なる香料を含んだ香料タンクを用いると、種類の異なる香料が装置内で混ざるおそれがある。
【０００５】
本開示の目的は、空調装置のように空気を供給する空気供給装置で空気に香りを与える構成において、異なる香料を用いる場合に香料が混ざってしまうのを抑制することである。
【課題を解決するための手段】
【０００６】
本開示の第１の態様は、香料微粒化ユニットにおいて、
１種類の香料が貯留される貯留部（11）と、
上記貯留部（11）内の香料を微粒化する機構を備えた微粒化部（12）と、
上記微粒化部（12）を構成する部材または微粒化部（12）とは別の部材に設けられ、微粒化した香料を吹き出す吹出部（13）と、
上記貯留部（11）内の香料が微粒化部（12）を介して吹出部（13）へ供給される香料供給経路（14）と、
上記微粒化部（12）を外部から制御する制御部（30）が、上記香料供給経路（14）以外の位置で接続されるように配置された接続部（15）と、
を備えていることを特徴とする。
【０００７】
第１の態様では、香料は、香料供給経路（14）を流れ、微粒化部（12）で微粒化して吹出部（13）から吹き出される。制御部（30）が接続される接続部（15）は、香料経路以外の位置、つまり香料が接触しない位置に設けられている。したがって、それまで用いていたのとは異なる種類の香料を有する香料微粒化ユニットを制御部（30）に接続すると、吹出部（13）も含めて香料供給経路（14）の全体が交換される。そのため、異なる香料が混ざるのを抑制できる。
【０００８】
本開示の第２の態様は、第１の態様において、
上記微粒化部（12）は、駆動流体の流入口（25a）と、香料を吸入する吸入口（25b）
を備え、駆動流体を香料に混合して香料を微粒化する二流体ノズル（25）を備えた流体混合式微粒化部（22）である
ことを特徴とする。
【０００９】
第２の態様では、二流体ノズル（25）を用いて構成した流体混合式微粒化部（22）を備えた香料微粒化ユニットにおいて、香料微粒化ユニットを交換しても、異なる香料が混ざるのを抑制できる。
【００１０】
本開示の第３の態様は、第１の態様において、
上記微粒化部（12）は、上記香料が導入される微粒化容器（47）と、該微粒化容器（47）に装着され、パルス電圧により該微粒化容器（47）の内容積の縮小及び復帰を繰り返すように該微粒化容器（47）に装着された圧電素子（45）と、を備えた圧電式微粒化部（42）である
ことを特徴とする。
【００１１】
第３の態様では、圧電素子（45）を用いて構成した微粒化部（12）を備えた香料微粒化ユニットにおいて、香料微粒化ユニットを交換しても、異なる香料が混ざるのを抑制できる。
【００１２】
本開示の第４の態様は、第１の態様において、
上記微粒化部（12）は、上記香料に電圧を印加する電圧印加部（55d）と、上記香料が導入されて噴霧される噴霧ノズル（55a）とを備えた静電噴霧式微粒化部（52）である
ことを特徴とする。
【００１３】
第４の態様では、静電噴霧式微粒化部（52）を備えた香料微粒化ユニットにおいて、香料微粒化ユニットを交換しても、異なる香料が混ざるのを抑制できる。
【００１４】
本開示の第５の態様は、
貯留部（11）内に貯留された１種類の香料を微粒化する微粒化部（12）と、微粒化された香料を吹き出す吹出部（13）とを一体に有する香料カートリッジ（10）と、
上記香料カートリッジ（10）が装着されるカートリッジ装着部（102）と、空気通路（103）を流れる空気が吹き出される空気吹出口（104）とを有するケーシング（101）と、を備えた空気供給装置であって、
上記香料カートリッジ（10）は、第１から第４の態様の何れか１つの香料微粒化ユニットにより構成され、
上記カートリッジ装着部（102）は、上記香料カートリッジ（10）が上記空気通路（103）を流れる空気に香りを与える位置で上記ケーシング（101）に着脱可能に構成され、
上記制御部（30）は上記ケーシング（101）に固定されている
ことを特徴とする。
【００１５】
第５の態様では、第１から第４の態様の香料微粒化ユニットを香料カートリッジ（10）として備えた構成の空気供給装置（香り発生装置、空気清浄機、及び空気調和装置など）において、香料カートリッジ（10）を交換しても異なる香料が混ざるのを抑制できる。
【００１６】
本開示の第６の態様は、
貯留部（11）内に貯留された１種類の香料を微粒化する微粒化部（12）と、微粒化された香料を吹き出す吹出部（13）とを一体に有し、第１から第４の態様の何れか１つの香料微粒化ユニットにより構成された香料カートリッジ（10）が装着されるカートリッジ装着部（102）と、
空気通路（103）を流れる空気が吹き出される空気吹出口（104）と、を有するケーシング（101）を備えた空気供給装置であって、
上記カートリッジ装着部（102）は、上記香料カートリッジ（10）が上記空気通路（103）を流れる空気に香りを与える位置で上記ケーシング（101）に着脱可能に構成され、
上記制御部（30）は上記ケーシング（101）に固定されている
ことを特徴とする。
【００１７】
第６の態様では、第１から第４の態様の香料微粒化ユニットを香料カートリッジ（10）として用いるように構成された空気供給装置（香り発生装置、空気清浄機、及び空気調和装置など）において、香料カートリッジ（10）を交換しても異なる香料が混ざるのを抑制できる。
【図面の簡単な説明】
【００１８】
【図１】図１は、実施形態１に係る香り発生装置の概略構成を示す斜視図である。
【図２】図２は、図１の香り発生装置に用いられている香料カートリッジ(香料微粒化ユニット)の構成図である。
【図３】図３は、実施形態１の変形例に係る空気清浄機の概略構成を示す断面図である。
【図４】図４は、実施形態２に係る空気調和装置の概略構成を示す断面図である。
【図５】図５は、図４の空気調和装置に用いられている香料カートリッジ(香料微粒化ユニット)の構成を示す構成図である。
【図６】図６は、実施形態２の変形例に係る空気調和装置の概略構成を示す断面図である。
【図７】図７は、実施形態３に係る香料カートリッジ(香料微粒化ユニット)の構成を示す構成図である。
【図８】図８は、第１変形例に係る香料カートリッジ(香料微粒化ユニット)の構成を示す構成図である。
【図９】図９は、第２変形例に係る香料カートリッジ(香料微粒化ユニット)の構成を示す構成図である。
【図１０】図１０は、第３変形例に係る香料カートリッジ(香料微粒化ユニット)の構成を示す構成図である。
【発明を実施するための形態】
【００１９】
《実施形態１》
図１，図２に示す実施形態１について説明する。
【００２０】
実施形態１は、香料カートリッジ（10）である流体混合式の香料微粒化ユニット（20）が装填された香り発生装置（110）（空気供給装置（100））に関する。図１は香り発生装置（110）の概略構成を示す斜視図、図２は香料カートリッジ（10）（香料微粒化ユニット（20））の構成図である。
【００２１】
〈香料微粒化ユニット〉
まず、図２に示す香料微粒化ユニット（20）について説明する。香料微粒化ユニット（20）は、香料（液体香料）を貯留する貯留部（21（11））と、香料を微粒化する微粒化部（22（12））と、微粒化した香料を吹き出す吹出部（23（13））とを一体に備えている。
【００２２】
貯留部（21）は、円筒形状の密閉容器である香料タンク（24）により構成されている。香料タンク（24）は、本体部（24a）と蓋部（24b）を備え、内部に１種類の香料が貯留される。香料タンク（24）には、香料タンク（24）内の香料を微粒化する微粒化機構である二流体ノズル（25）が装着されている。二流体ノズル（25）は、上記微粒化部（22）を構成している。また、香料タンク（24）の端面（図の上面）には、微粒化した香料を吹き出す上記吹出部（23）が吹出口として設けられている。この構成において、吹出部（23）は、微粒化部（22）を構成する二流体ノズル（25）とは別の部材である香料タンク（24）に設けられている。
【００２３】
二流体ノズル（25）は、高圧の駆動流体（圧縮空気）が流入する流入口（25a）と、香料を吸入する吸入口（25b）とを備え、二流体ノズルの出口に形成される液膜を気流の剪断力で微粒化する方式の微粒化機構である。二流体ノズル（25）から流出した微粒化された香料は、吹出部（23）から吹き出される。なお、二流体ノズル（25）は、空気の流路と香料（液体）の流路を有し、空気（駆動流体）を香料に混合して香料を微粒化する構成であれば、具体的な構成は適宜変更してもよい。
【００２４】
香料タンク（24）の内部と、香料を微粒化する二流体ノズル（25）と、微粒化した香料を吹き出す吹出部（23）により、貯留部（21）内の香料が微粒化部（22）を介して吹出部（23）へ供給される香料供給経路（26（14））が形成されている。一方、香料タンク（24）の外周面には、圧縮空気を二流体ノズル（25）に供給するように制御部（30）が接続される、管継手などの接続部（27（15））が設けられている。接続部（27）の香料タンク（14）の内側の端部は流入口（25a）に接続されている。
【００２５】
上記制御部（30）は、香料微粒化ユニット（20）の二流体ノズル（25）を外部から制御する。接続部（27）は、香料供給経路（26）以外の位置（香料供給経路（26）に対して外部になる位置）で制御部（30）が接続され、制御部（30）に香料が接触しないように配置されている。
【００２６】
制御部（30）は、コントローラ（31）とポンプ（32）と電磁弁などの開閉弁（33）とを備え、電磁弁（33）が駆動流体供給管（34）を介して上記接続部（27）に接続されている。この構成により、香料タンク（24）の外側に配置された制御部から駆動流体である圧縮空気が二流体ノズル（25）に供給される。
【００２７】
コントローラ（31）は、制御基板上に搭載されたマイクロコンピュータと、該マイクロコンピュータを動作させるためのソフトウエアを格納するメモリディバイス（具体的には半導体メモリ）とを含む。コントローラ（31）は、運転指令やセンサの検出信号に基づいて機器を制御する。
【００２８】
〈香り発生装置〉
図１に示す香り発生装置（110）は、円筒状のケーシング（111（101））と、ケーシングの内部に着脱可能に装填された上記香料カートリッジ（10）と、香料カートリッジ（10）の二流体ノズル（25）を駆動するようにケーシング（111）内に固定された制御部（30）とを有している。ケーシング（111）は、ベース部材（111a）と上部カバー（111b）とを有している。図１は、ベース部材（111a）に上部カバー（111b）が装着された香り発生装置（110）の概略の斜視図である。上部カバー（111b）には、香料カートリッジ（10）の吹出部（23）に対応する位置（吹出部（23）のほぼ真上の位置）に、吹出孔（112）（空気吹出口（104））が形成されている。
【００２９】
上部カバー（111b）は天板を有する筒状部材であり、ベース部材（111a）に着脱可能に構成されている。上記制御部（30）はベース部材（111a）の内部に固定されている。ベース部材（111a）の上面には、上記香料カートリッジ（10）を着脱可能なカートリッジ装着部（113（102））が設けられている。香料カートリッジ（10）を着脱する具体的な構成としては、ベース部材（111a）の上面に香料カートリッジ（10）を載置して位置決めする部分を設けたものでもよいし、香料カートリッジを挿入保持する筒状部（図示せず）をベース部材（111a）の上面に形成したものでもよいし、その他の任意の構成を採用してもよい。
【００３０】
ベース部材（111a）の上面には、上記接続部（27）として用いられるケーシング側コネクタ（114）が突出している。上記香料カートリッジ（10）には、カートリッジ側コネクタ（115）が設けられている。カートリッジ側コネクタ（115）はケーシング側コネクタ（114）に接続可能に構成されている。
【００３１】
図１に示すように、この香り発生装置（110）では、複数（図１の例では３つ）の香料カートリッジ（10）がケーシングに装填されている。複数の香料カートリッジ（10）のうち、カートリッジ側コネクタ（115）がケーシング側コネクタ（114）に接続されているのは１つのみである。
【００３２】
カートリッジ側コネクタ（115）がケーシング側コネクタ（114）に接続された香料カートリッジ（10）では、制御部（30）のポンプ（32）を起動することによって微粒化された香料が上記吹出孔（112）から上方へ吹き出される。この香り発生装置（110）では、上記吹出口（23）と吹出孔（112）との間の空間が、香料のミストを含む空気の流れる空気通路（116（103））になっている。したがって、空気通路（116）の空気に香りが付与された後、空気が吹出孔（112）を通って香り発生装置（110）から機外へ流出する。
【００３３】
なお、空気通路（116）にファン（図示せず）などを設けて、香りを与えた空気をファンで香り発生装置（110）から吹き出すようにしてもよい。
【００３４】
−運転動作−
この実施形態１において、カートリッジ側コネクタ（115）をケーシング側コネクタ（114）に接続した香料カートリッジ（10）（香料微粒化ユニット（20））は、制御部（30）により、香料カートリッジ（10）の外部から駆動され、香りが付与された空気を室内などの空間へ供給する。
【００３５】
香りを変更する場合は、異なる香料を有する香料カートリッジ（10）のカートリッジ側コネクタ（115）をケーシング側コネクタ（114）に接続し、制御部（30）で二流体ノズル（25）を駆動することにより、その香料カートリッジ（10）と一体になった吹出口（23）から微粒化された香料が吹き出される。このとき各香料カートリッジ（10）が、香料タンク（24）と二流体ノズル（25）と吹出口（23）とを一体に有しているので、新たに使用する香料と、前に使用していた香料とが混ざるのを抑制できる。
【００３６】
−実施形態１の効果−
本実施形態の香料微粒化ユニットは、１種類の香料が貯留される貯留部（11）と、上記貯留部（11）内の香料を微粒化する機構を備えた微粒化部（12）と、上記微粒化部（12）を構成する部材または微粒化部（12）とは別の部材に設けられ、微粒化した香料を吹き出す吹出部（13）と、上記貯留部（11）内の香料が微粒化部（12）を介して吹出部（13）へ供給される香料供給経路（14）と、上記微粒化部（12）を外部から制御する制御部（30）が、上記香料供給経路（14）以外の位置で接続されるように配置された接続部（15）と、を備え、香り発生装置や空気清浄機や空気調和装置の室内ユニットなどの空気供給装置に着脱して用いられる。
【００３７】
従来、空気供給装置で空気に香りを付与する場合、香料を交換しても、新たな香料の香りが元の香料の香りと混ざってしまうことがあった。
【００３８】
この実施形態１では、香料が、香料供給経路（14）を流れ、微粒化部（12）で微粒化して吹出部（13）から吹き出されるのに対して、制御部（30）が接続される接続部（15）は、香料供給経路（14）以外の位置、つまり香料が流れず接触しない位置に設けられている。したがって、それまで用いていたのとは異なる種類の香料を有する香料微粒化ユニットを制御部（30）に接続すると、吹出部（13）も含めて香料供給経路（14）の全体が交換されるので、異なる香料が混ざるのを抑制できる。
【００３９】
また、本実施形態では、二流体ノズル（25）を用いて液体香料を容易に微粒化でき、しかも香料容器から吹出口までの香料供給経路（14）を一体のユニット式に形成し、カートリッジとして交換できるようにしているので、複数の香りが混ざらない構成を簡単に実用化することが可能となる。
【００４０】
−実施形態１の変形例−
図３は、実施形態１の変形例に係る空気供給装置（100）である空気清浄機（120）の概略構成を示す断面図である。
【００４１】
この空気清浄機（120）では、ケーシング（121（101））の内部に、ファン（122）と、ファン（122）の吹出側に形成された空気通路（123（103））とが形成されている。空気通路（123）は、フィルタ等の機能部品（図示せず）を通過して浄化された空気が流れる通路である。空気通路（123）の下流側の端部は、空気が吹き出される空気吹出口（124（104））になっている。ケーシング（121）には、香料カートリッジ（10）を着脱するためのカートリッジ装着部（125（102））が設けられている。
【００４２】
カートリッジ装着部（125）は、空気通路（123）を流れる空気に香料の香りを与える位置に設けられている。具体的には、カートリッジ装着部（125）は、香料カートリッジ（10（20））の吹出口（23）が空気通路（123）から流出する空気へ香料を吹き出す位置に設けられている。
【００４３】
カートリッジ装着部（125）には、図１の例と同様に、接続部（27）を構成するケーシング側コネクタ（126）が設けられ、香料カートリッジ（10）のカートリッジ側コネクタ（図示せず）が接続されるように構成されている。空気通路（123）を区画する通路部材（123a）の外側には、図２で説明した制御部（30）が、図２の香料供給経路（26）を流れる香料と接触しないように設けられている。
【００４４】
この変形例においても、香りを変更する場合は、異なる香料を有する香料カートリッジ（10）のカートリッジ側コネクタ（115）をケーシング側コネクタ（114）に接続し、制御部（30）で新たな香料カートリッジ（10）の二流体ノズル（25）を駆動することにより、その香料カートリッジ（10）と一体になった吹出口（23）から微粒化された香料が吹き出される。そして、この変形例においても、各香料カートリッジ（10）が、香料タンク（24）と二流化ノズル（25）と吹出口（23）とを一体に有しているので、新たに使用する香料と、前に使用していた香料とが混じるのを抑制できる。
【００４５】
《実施形態２》
図４，図５に示す実施形態２について説明する。
【００４６】
実施形態２は、香料カートリッジ（10）である圧電式の香料微粒化ユニット（40）が装填された空気調和装置の室内ユニット（130）（空気供給装置（100））に関するものである。図４は室内ユニット（130）の概略構成を示す断面図、図５は香料カートリッジ（10）（香料微粒化ユニット（40））の構成図である。
【００４７】
〈香料微粒化ユニット〉
まず、図５に示す香料微粒化ユニット（40）について説明する。香料微粒化ユニット（40）は、香料を貯留する貯留部（41（11））と、香料を微粒化する微粒化部（42（12））と、微粒化した香料を吹き出す吹出口（43）（吹出部（13））とを備えている。
【００４８】
貯留部（41）は、円筒形状の密閉容器である香料タンク（44）により構成されている。香料タンク（44）は、本体部（44a）と蓋部（44b）を備え、内部に１種類の香料が貯留される。香料タンク（44）には、香料タンク（44）内の香料を微粒化する微粒化機構である圧電素子（ピエゾ素子）（45）を有する圧電式の上記微粒化部（42）が、香料配管（46）を介して装着されている。
【００４９】
微粒化部（42）は、香料配管（46）から香料が導入されるノズルヘッド（微粒化容器）（47）を備えている。ノズルヘッド（47）は、内部に香料の保持空間を有する。ノズルヘッド（47）は、図の下側に吹出口（43）（吹出部（13））を有し、図の上側に圧電素子（45）が装着されている。この実施形態では、吹出口（43）（吹出部（13））は、微粒化部（42）を構成する部材であるノズルヘッド（微粒化容器）（47）に設けられている。
【００５０】
この実施形態では、香料タンク（44）、香料配管（46）、ノズルヘッド（47）及び吹出口（43）により、香料供給経路（48（14））が形成されている。
【００５１】
この構成において、圧電素子（45）にパルス電圧を印加すると、圧電素子（45）が変形と復元を繰り返してノズルヘッド（47）の内容積が縮小と復帰を繰り返す。このことにより、香料タンク（44）から香料供給経路（48（14））を流れてノズルヘッド（47）に流入した香料は、ノズルヘッド（47）の吹出口（43）から微量ずつ間欠的に押し出されて、微粒化した状態で吹出口（43）から吹き出されるようになっている。なお、パルス電圧の波形は適宜設定すればよく、特に限定する必要はない。
【００５２】
圧電素子（45）には、香料供給経路（48）の香料と接触しないように入力配線（35）の一端が接続されている。入力配線（35）の他端は制御部（電圧制御部）（30）に接続されている。入力配線（35）の途中には、接続部（15）であるコネクタ（49）が設けられている。コネクタ（49）は、ノズルヘッド（47）から引き出されたノズルヘッド側配線（35a）に接続されたノズルヘッド側コネクタ（49a）と、制御部（30）から引き出された制御部側配線（35b）に接続された制御部側コネクタ（49b）とからなり、ノズルヘッド側コネクタ（49a）に制御部側コネクタ（49b）が接続される。
【００５３】
〈空気調和装置の室内ユニット〉
図４に示す空気調和装置の室内ユニット（130）は、天井埋込型のユニットである。この室内ユニット（130）は、下側が開放された箱形のケーシング（131（101））を有し、ケーシング（131）は天井裏に固定される。ケーシング（131）の下端には空気吸込口（132a）を有する化粧パネル（132）が装着されている。ケーシング（131）の内部には、化粧パネル（132）の上方に、下から上へ向かって、フィルタ（133）、ベルマウス（134）及びファン（135）が設けられている。ファン（135）の周囲には室内熱交換器（136）が配置され、室内熱交換器（136）の下方にはドレンパン（137）が配置されている。化粧パネル（132）には、空気吸込口（132a）の外側に空気吹出口（132b（104））が形成されている。この室内ユニット（130）のケーシング（131）内には、空気吸込口（132a）からベルマウス（134）、ファン（135）、室内熱交換器（136）を通って空気吹出口（132b）に通じる空気通路（138（103））が形成されている。
【００５４】
室内ユニット（130）には、図５の香料微粒化ユニット（40）が香料カートリッジ（10）として装着されている。香料カートリッジ（10）は、香料タンク（44）とノズルヘッド（47）が一つのユニットとして構成されている。この香料カートリッジ（10）は、図４においてドレンパン（137）の外側に設けられたカートリッジ装着部（139（102））に着脱可能に装着されている。カートリッジ装着部（139）は、空気吹出口（132b）の開口の上方に設けられている。
【００５５】
香料カートリッジ（10）の香料微粒化動作を制御する制御部（30）は、室内ユニット（130）の内部に固定されている。図示の例では、制御部（130）はドレンパン（137）の内側に固定され、ベルマウス（134）とファン（135）の間に配置されている。制御部（30）と香料カートリッジ（10）は入力配線（35）で接続されている。入力配線（35）に設けられるコネクタは、図示していないが、香料カートリッジ（10）の着脱時に作業を容易に行えるように、ドレンパン（137）の外側寄りの位置に設けられている。香料カートリッジ（10）の吹出部（43）は、空気通路（138）にむかって微粒化された香料を吹き出すように配置されている。
【００５６】
この実施形態２において香料カートリッジ（10）の圧電素子（45）にパルス電圧を印加すると、室内熱交換器（136）を通って温度や湿度が調節された空気は、香りが付与されてから室内に供給される。
【００５７】
−運転動作−
この実施形態２において、カートリッジ装着部（139）に装着した香料カートリッジ（10）（香料微粒化ユニット（40））は、制御部（30）により、香料カートリッジ（10）の外部から駆動され、香りが付与された空調空気を室内などの空間へ供給する。
【００５８】
香りを変更する場合は、異なる香料を有する香料カートリッジ（10）をカートリッジ装着部（139）に装着し、制御部（30）で圧電素子（45）を駆動することにより、その香料カートリッジ（10）から微粒化された香料が吹き出される。香料カートリッジ（10）は、香料タンク（44）と圧電素子（45）と吹出口（43）とを一体に有するので、新たに使用する香料と、前に使用していた香料とが混じるのを抑制できる。
【００５９】
−実施形態２の効果−
この実施形態２においても、香料供給経路（48（14））には1種類の香料しか接触しない。したがって、それまで使用していた香料微粒化ユニット（40）を、他の香料を有する香料微粒化ユニット（40）に交換したときに、新たな香料がそれまで使用されていた香料に混ざるのを抑制できる。
【００６０】
また、温度や湿度を調整した空気を室内へ供給する空気調和装置の室内ユニット（130）において、室内に供給する空気に香りを与えることができ、しかも、香料カートリッジ（10）を交換したときに、前に使用していた香料カートリッジの香料と香りが混ざってしまうのを抑制できる。
【００６１】
−実施形態２の変形例−
図６に示す実施形態２の変形例は、香料カートリッジ（10）を空気調和装置の室内ユニット（130）に設けた点は図４の例と同じであるが、香料カートリッジ（10）を、ケーシング（131）の外に着脱できるように構成した例である。
【００６２】
この変形例において、香料カートリッジ（10）は、化粧パネル（132）の下面に形成されたカートリッジ装着部に着脱可能に取り付けられている。この変形例において、香料カートリッジ（10）の吹出部（43）は、空気通路（138）から吹き出される空気にむかって、微粒化された香料を吹き出すように配置されている。
【００６３】
なお、この変形例では制御部（30）の図示を省略しているが、ケーシング（130）に固定されている点は図４の例と同様である。
【００６４】
また、この変形例のその他の構成は図４の実施形態２と同じである。
【００６５】
この実施形態２の変形例において、カートリッジ装着部（139）に装着した香料カートリッジ（10）（香料微粒化ユニット（40））は、制御部（30）により、香料カートリッジ（10）の外部から駆動され、香りが付与された空調空気を室内などの空間へ供給する。
【００６６】
香りを変更する場合は、異なる香料を有する香料カートリッジ（10）をカートリッジ装着部（139）に装着し、制御部（30）で圧電素子（45）を駆動することにより、その香料カートリッジ（10）から微粒化された香料が吹き出される。香料カートリッジ（10）は、香料タンク（44）と圧電素子（45）と吹出口（43）とを一体に有するので、新たに使用する香料と、前に使用していた香料とが混じるのを抑制できる。
【００６７】
また、この変形例では、香料カートリッジ（10）を室内ユニット（130）の外部で簡単に交換できる。
【００６８】
《実施形態３》
図７に示す実施形態３について説明する。
【００６９】
実施形態３は、静電噴霧式の香料微粒化ユニット（50）に関するものである。この香料微粒化ユニット（50）は、香料を貯留する貯留部（51（11））と、香料を微粒化する微粒化部（52（12））と、微粒化した香料を吹き出す吹出口（53）（吹出部（13））とを備えている。
【００７０】
貯留部（51）は、円筒形状の密閉容器である香料タンク（54）により構成されている。香料タンク（54）は、本体部（54a）と蓋部（54b）を備え、内部に１種類の香料が貯留される。香料タンク（54）の内部には、香料タンク（45）内の香料を微粒化する微粒化機構である静電噴霧式の上記微粒化部（52）が設けられている。
【００７１】
微粒化部（52）は、噴霧ノズル（55a）と香料搬送部（ポンプ）（55b）とを有する。噴霧ノズル（53a）の周囲には筒状部材（55c）が配置されている。筒状部材（55c）の上端面には対向電極（電圧印加部）（55d）が形成されている。
【００７２】
この実施形態において、香料タンク（54）、香料搬送部（55b）、静電噴霧ノズル（55a）、及び吹出口（53）により、香料供給経路（56（14））が形成されている。
【００７３】
この実施形態３において、液体香料を含む噴霧ノズルと外部に高電圧を印加すると、気液界面において、液体の表面張力と、液体に作用する静電気力の釣り合いで、微細な液糸が引き出され、その先端が微粒子に分裂して噴霧される。
【００７４】
噴霧ノズル（55a）と対向電極（55d）には、香料供給経路（56）の香料と接触しないように入力配線（36）の一端が接続されている。入力配線（36）の他端は制御部（高電圧制御部）（30）に接続されている。入力配線（35）の途中には、接続部（15）であるコネクタ（57）が設けられている。コネクタ（57）は、噴霧ノズル（55a）から引き出されたノズル側配線（36a）に接続されたノズルヘッド側コネクタ（57a）と、制御部（30）から引き出された制御部側配線（36b）に接続された制御部側コネクタ（57b）とからなり、ノズルヘッド側コネクタ（57a）に制御部側コネクタ（57b）が接続される。
【００７５】
この実施形態３においても、香料供給経路（56（14））には1種類の香料しか接触しない。したがって、それまで使用していた香料微粒化ユニット（50）を、他の香料を有する香料微粒化ユニット（50）に交換したときに、新たな香料がそれまで使用されていた香料に混ざるのを抑制できる。
【００７６】
《その他の実施形態》
上記実施形態については、以下のような構成としてもよい。
【００７７】
香料微粒化ユニットの微粒化方式は、上記各実施形態の方式に限らず、他の方式を採用してもよい。
【００７８】
−第１変形例−
図８に示す第１変形例は、超音波式の香料微粒化ユニット（60）に関するものである。この香料微粒化ユニット（60）は、香料を貯留する貯留部（61（11））と、香料を微粒化する微粒化部（62（12））と、微粒化した香料を吹き出す吹出口（63）（吹出部（13））とを備えている。
【００７９】
貯留部（61）は、可撓性を有する袋状の香料容器（64）により構成されている。香料容器（64）には、内部に１種類の香料が貯留される。香料容器（64）は、底部に超音波透過膜（65）を備えている。香料容器（64）は、作用水（67）が充填された振動発生容器（66）に保持されている。
【００８０】
微粒化部（62）は超音波振動子（62a）により構成されている。この超音波振動子（62a）は、入力配線（62b）を介して制御部（30）に接続されている。
【００８１】
この第１変形例において、超音波透過膜（65）と吹出口（63）との間に香料供給経路（68（14））が形成されている。
【００８２】
制御部（30）から超音波振動子（62a）に高周波の交流電圧を印加すると、超音波振動により発生した振動エネルギーが作用水（67）及び超音波透過膜（65）を介して液体香料が振動する。このことにより、香料の表面が微粒化（霧化）され、微粒化された香料が吹出口（63）から吹き出される。
【００８３】
この変形例1においても、香料供給経路（68（14））には1種類の香料しか接触しない。したがって、それまで使用していた香料微粒化ユニット（60）を、他の香料を有する香料微粒化ユニット（60）に交換したときに、新たな香料がそれまで使用されていた香料に混ざるのを抑制できる。
【００８４】
−第２変形例−
図９に示す第２変形例は、蒸気式の香料微粒化ユニット（70）に関するものである。この香料微粒化ユニット（70）は、香料を貯留する貯留部（71（11））と、香料を微粒化する微粒化部（72（12））と、微粒化した香料を吹き出す吹出口（73）（吹出部（13））とを備えている。
【００８５】
貯留部（71）は、香料容器（74）により構成されている。香料容器（74）には、内部に１種類の香料が貯留される。香料容器（74）は、底部に伝熱材（75）を介してヒータ（72a）の上に載置されている。
【００８６】
微粒化部（72）はヒータ（72a）により構成されている。このヒータ（72a）は、入力配線（72b）を介して制御部（30）に接続されている。
【００８７】
この第２変形例において、伝熱材（75）と吹出口（73）との間に香料供給経路（76（14））が形成されている。
【００８８】
制御部（30）からヒータ（72a）に電圧を印加すると、ヒータ（72a）が発熱する。ヒータ（72a）が発熱すると、熱が液体香料に伝達され、液体香料が沸騰して香料の蒸気が発生する。このことにより、香料の蒸気が吹出口（73）から吹き出される。
【００８９】
この変形例２においても、香料供給経路（76（14））には1種類の香料しか接触しない。したがって、それまで使用していた香料微粒化ユニット（70）を、他の香料を有する香料微粒化ユニット（70）に交換したときに、新たな香料がそれまで使用されていた香料に混ざるのを抑制できる。
【００９０】
−第３変形例−
図１０に示す第３変形例は、遠心式の香料微粒化ユニット（80）に関するものである。この香料微粒化ユニット（80）は、香料を貯留する貯留部（81（11））と、香料を微粒化する微粒化部（82（12））と、微粒化した香料を吹き出す吹出口（83）（吹出部（13））とを備えている。
【００９１】
貯留部（71）は、上方が広がった有底の円錐状または角錐状の本体部（84a）と天板部（84b）とを有する香料容器（84）により構成されている。香料容器（84）には、内部に１種類の香料が貯留される。香料容器（84）は、本体部（84a）と天板部（84b）との間の角部に、数個の吹出口（83（13））を有している。
【００９２】
香料容器（84）には、底板の下面に回転軸（86）が固定されている。駆動軸（86a）には、モータ（85）の出力軸（85a）がカップリング（87）で連結されている。微粒化部（82）はモータ（85）により構成されている。このモータ（85）は入力配線（85b）を介して制御部（30）に接続されている。
【００９３】
この第３変形例において、香料容器（84）の底部と吹出口（83）との間に香料供給経路（88（14））が形成されている。
【００９４】
制御部（30）からモータ（85）に電圧を印加すると、モータ（85）が回転する。モータ（85）が回転すると、回転による遠心力によって香料が香料容器（84）の本体部（84a）の傾斜に沿って上方へ移動し、吹出口（83）に達すると、香料が微量ずつ、微粒化された状態で周囲へ吹き出される。
【００９５】
この変形例３においても、香料供給経路（88（14））には1種類の香料しか接触しない。したがって、それまで使用していた香料微粒化ユニット（80）を、他の香料を有する香料微粒化ユニット（80）に交換したときに、新たな香料がそれまで使用されていた香料に混ざるのを抑制できる。
【００９６】
−第４変形例−
上記実施形態１、実施形態１の変形例、及び実施形態２は、それぞれ、香料カートリッジ（10）が装填された香り発生装置（110）、空気清浄機（120）、及び空気調和装置の室内ユニット（130）に関するものであり、いずれも空気を送り出す空気供給装置（100）である。これらの空気供給装置（100）は、必ずしも香料カートリッジ（10）が装填された装置でなくてもよく、ケーシング（101）と制御部（30）とを備えた形態であって、香料カートリッジ（10）が装填されていない状態を製品とする装置であってもよい。
【００９７】
以上、実施形態および変形例を説明したが、特許請求の範囲の趣旨および範囲から逸脱することなく、形態や詳細の多様な変更が可能である。また、以上の実施形態および変形例は、本開示の対象の機能を損なわない限り、適宜組み合わせたり、置換したりしてもよい。
【産業上の利用可能性】
【００９８】
以上説明したように、本開示は、香料微粒化ユニット及び空気供給装置について有用である。
【符号の説明】
【００９９】
10    香料カートリッジ（香料微粒化ユニット）
11    貯留部
12    微粒化部
13    吹出部
14    香料供給経路
15    接続部
22    流体混合式微粒化部
25    二流体ノズル
25a   流入口
25b   吸入口
30    制御部
42    圧電式微粒化部
45    圧電素子
47    ノズルヘッド（微粒化容器）
52    静電噴霧式微粒化部
55a   噴霧ノズル
55d   電圧印加部
100   空気供給装置
101   ケーシング
102   カートリッジ装着部
103   空気通路
104   空気吹出口
【図１】
2019213681.tif 000003
【図２】
2019213681.tif 000004
【図３】
2019213681.tif 000005
【図４】
2019213681.tif 000006
【図５】
2019213681.tif 000007
【図６】
2019213681.tif 000008
【図７】
2019213681.tif 000009
【図８】
2019213681.tif 000010
【図９】
2019213681.tif 000011
【図１０】
2019213681.tif 000012
【手続補正書】
【提出日】令和1年9月2日(2019.9.2)
【手続補正１】
【補正対象書類名】明細書
【補正対象項目名】全文
【補正方法】変更
【補正の内容】
【発明の詳細な説明】
【技術分野】
【０００１】
本開示は、香料微粒化ユニット及び空気供給装置に関するものである。
【背景技術】
【０００２】
特許文献１には、香り発生装置を備えた空調装置が開示されている。香り発生装置は、液体香料を貯留した貯留部（香料タンク）と、香料が供給されて微粒（微噴霧）を発生する微粒化部（微噴霧発生部）を備えた供給管ヘッダと、供給管ヘッダから室内へ香料を供給する供給管と、供給管ヘッダの残留香料を回収するドレン機構とを備えている。
【先行技術文献】
【特許文献】
【０００３】
【特許文献１】特開平０４−２６１６６３号公報
【発明の概要】
【発明が解決しようとする課題】
【０００４】
特許文献１の香り発生装置では、種類が異なる香料を貯留した香料タンクを用いる場合には、ドレン機構で供給管ヘッダの残留香料を回収するようにしているが、ある程度の香料は、空調装置に設けられている微粒化部や供給管ヘッダに残ってしまうと考えられる。したがって、異なる香料を含んだ香料タンクを用いると、種類の異なる香料が装置内で混ざるおそれがある。
【０００５】
本開示の目的は、空調装置のように空気を供給する空気供給装置で空気に香りを与える構成において、異なる香料を用いる場合に香料が混ざってしまうのを抑制することである。
【課題を解決するための手段】
【０００６】
本開示の第１の態様は、香料微粒化ユニットにおいて、
１種類の香料が貯留される貯留部（11）と、
上記貯留部（11）内の香料を微粒化する機構を備えた微粒化部（12）と、
上記微粒化部（12）を構成する部材または微粒化部（12）とは別の部材に設けられ、微粒化した香料を吹き出す吹出部（13）と、
上記貯留部（11）内の香料が微粒化部（12）を介して吹出部（13）へ供給される香料供給経路（14）と、
上記微粒化部（12）を外部から制御する制御部（30）が、上記香料供給経路（14）以外の位置で接続されるように配置された接続部（15）と、
を備え、
上記貯留部（11）は、駆動流体を該貯留部（11）の内部へ導入する接続部（15）を有し、
上記制御部（30）は、駆動流体を上記貯留部（11）へ供給する駆動流体供給管（34）の一端が接続され、
上記駆動流体供給管（34）の他端が上記接続部に接続されている
ことを特徴とする。
【０００７】
第１の態様では、香料は、香料供給経路（14）を流れ、微粒化部（12）で微粒化して吹出部（13）から吹き出される。制御部（30）が接続される接続部（15）は、香料経路以外の位置、つまり香料が接触しない位置に設けられている。したがって、それまで用いていたのとは異なる種類の香料を有する香料微粒化ユニットを制御部（30）に接続すると、吹出部（13）も含めて香料供給経路（14）の全体が交換される。そのため、異なる香料が混ざるのを抑制できる。
【０００８】
本開示の第２の態様は、第１の態様において、
上記微粒化部（12）は、上記接続部（15）に設けられた駆動流体の流入口（25a）と、上記貯留部（11）内の香料を吸入する吸入口（25b）を備え、駆動流体を香料に混合して香料を微粒化する二流体ノズル（25）を備えた流体混合式微粒化部（22）である
ことを特徴とする。
【０００９】
第２の態様では、二流体ノズル（25）を用いて構成した流体混合式微粒化部（22）を備えた香料微粒化ユニットにおいて、香料微粒化ユニットを交換しても、異なる香料が混ざるのを抑制できる。
【００１０】
本開示の第３の態様は、
貯留部（11）内に貯留された１種類の香料を微粒化する微粒化部（12）と、微粒化された香料を吹き出す吹出部（13）とを一体に有する香料カートリッジ（10）と、
上記香料カートリッジ（10）が装着されるカートリッジ装着部（102）と、空気通路（103）を流れる空気が吹き出される空気吹出口（104）とを有するケーシング（101）と、を備えた空気供給装置であって、
上記香料カートリッジ（10）は、第１または第２の態様の香料微粒化ユニットにより構成され、
上記カートリッジ装着部（102）は、上記香料カートリッジ（10）が上記空気通路（103）を流れる空気に香りを与える位置で上記ケーシング（101）に着脱可能に構成され、
上記制御部（30）は上記ケーシング（101）に固定されている
ことを特徴とする。
【００１１】
第３の態様では、第１または第２の態様の香料微粒化ユニットを香料カートリッジ（10）として備えた構成の空気供給装置（香り発生装置、空気清浄機、及び空気調和装置など）において、香料カートリッジ（10）を交換しても異なる香料が混ざるのを抑制できる。
【００１２】
本開示の第４の態様は、
貯留部（11）内に貯留された１種類の香料を微粒化する微粒化部（12）と、微粒化された香料を吹き出す吹出部（13）とを一体に有する香料微粒化ユニットにより構成された香料カートリッジ（10）が装着され、上記香料微粒化ユニットが請求項１または２の香料微粒化ユニットであるカートリッジ装着部（102）と、
空気通路（103）を流れる空気が吹き出される空気吹出口（104）と、を有するケーシング（101）を備えた空気供給装置であって、
上記カートリッジ装着部（102）は、上記香料カートリッジ（10）が上記空気通路（103）を流れる空気に香りを与える位置で上記ケーシング（101）に着脱可能に構成され、
上記制御部（30）は上記ケーシング（101）に固定されている
ことを特徴とする。
【００１３】
第４の態様では、第１または第２の態様の香料微粒化ユニットを香料カートリッジ（10）として用いるように構成された空気供給装置（香り発生装置、空気清浄機、及び空気調和装置など）において、香料カートリッジ（10）を交換しても異なる香料が混ざるのを抑制できる。
【図面の簡単な説明】
【００１４】
【図１】図１は、実施形態１に係る香り発生装置の概略構成を示す斜視図である。
【図２】図２は、図１の香り発生装置に用いられている香料カートリッジ(香料微粒化ユニット)の構成図である。
【図３】図３は、実施形態１の変形例に係る空気清浄機の概略構成を示す断面図である。
【図４】図４は、参考技術１に係る空気調和装置の概略構成を示す断面図である。
【図５】図５は、図４の空気調和装置に用いられている香料カートリッジ(香料微粒化ユニット)の構成を示す構成図である。
【図６】図６は、参考技術１の変形例に係る空気調和装置の概略構成を示す断面図である。
【図７】図７は、参考技術２に係る香料カートリッジ(香料微粒化ユニット)の構成を示す構成図である。
【図８】図８は、第１参考例に係る香料カートリッジ(香料微粒化ユニット)の構成を示す構成図である。
【図９】図９は、第２参考例に係る香料カートリッジ(香料微粒化ユニット)の構成を示す構成図である。
【図１０】図１０は、第３参考例に係る香料カートリッジ(香料微粒化ユニット)の構成を示す構成図である。
【発明を実施するための形態】
【００１５】
《実施形態１》
図１，図２に示す実施形態１について説明する。
【００１６】
実施形態１は、香料カートリッジ（10）である流体混合式の香料微粒化ユニット（20）が装填された香り発生装置（110）（空気供給装置（100））に関する。図１は香り発生装置（110）の概略構成を示す斜視図、図２は香料カートリッジ（10）（香料微粒化ユニット（20））の構成図である。
【００１７】
〈香料微粒化ユニット〉
まず、図２に示す香料微粒化ユニット（20）について説明する。香料微粒化ユニット（20）は、香料（液体香料）を貯留する貯留部（21（11））と、香料を微粒化する微粒化部（22（12））と、微粒化した香料を吹き出す吹出部（23（13））とを一体に備えている。
【００１８】
貯留部（21）は、円筒形状の密閉容器である香料タンク（24）により構成されている。香料タンク（24）は、本体部（24a）と蓋部（24b）を備え、内部に１種類の香料が貯留される。香料タンク（24）には、香料タンク（24）内の香料を微粒化する微粒化機構である二流体ノズル（25）が装着されている。二流体ノズル（25）は、上記微粒化部（22）を構成している。また、香料タンク（24）の端面（図の上面）には、微粒化した香料を吹き出す上記吹出部（23）が吹出口として設けられている。この構成において、吹出部（23）は、微粒化部（22）を構成する二流体ノズル（25）とは別の部材である香料タンク（24）に設けられている。
【００１９】
二流体ノズル（25）は、高圧の駆動流体（圧縮空気）が流入する流入口（25a）と、香料を吸入する吸入口（25b）とを備え、二流体ノズルの出口に形成される液膜を気流の剪断力で微粒化する方式の微粒化機構である。二流体ノズル（25）から流出した微粒化された香料は、吹出部（23）から吹き出される。なお、二流体ノズル（25）は、空気の流路と香料（液体）の流路を有し、空気（駆動流体）を香料に混合して香料を微粒化する構成であれば、具体的な構成は適宜変更してもよい。
【００２０】
香料タンク（24）の内部と、香料を微粒化する二流体ノズル（25）と、微粒化した香料を吹き出す吹出部（23）により、貯留部（21）内の香料が微粒化部（22）を介して吹出部（23）へ供給される香料供給経路（26（14））が形成されている。一方、香料タンク（24）の外周面には、圧縮空気を二流体ノズル（25）に供給するように制御部（30）が接続される、管継手などの接続部（27（15））が設けられている。接続部（27）の香料タンク（14）の内側の端部は流入口（25a）に接続されている。
【００２１】
上記制御部（30）は、香料微粒化ユニット（20）の二流体ノズル（25）を外部から制御する。接続部（27）は、香料供給経路（26）以外の位置（香料供給経路（26）に対して外部になる位置）で制御部（30）が接続され、制御部（30）に香料が接触しないように配置されている。
【００２２】
制御部（30）は、コントローラ（31）とポンプ（32）と電磁弁などの開閉弁（33）とを備え、電磁弁（33）が駆動流体供給管（34）を介して上記接続部（27）に接続されている。この構成により、香料タンク（24）の外側に配置された制御部から駆動流体である圧縮空気が二流体ノズル（25）に供給される。
【００２３】
コントローラ（31）は、制御基板上に搭載されたマイクロコンピュータと、該マイクロコンピュータを動作させるためのソフトウエアを格納するメモリディバイス（具体的には半導体メモリ）とを含む。コントローラ（31）は、運転指令やセンサの検出信号に基づいて機器を制御する。
【００２４】
〈香り発生装置〉
図１に示す香り発生装置（110）は、円筒状のケーシング（111（101））と、ケーシングの内部に着脱可能に装填された上記香料カートリッジ（10）と、香料カートリッジ（10）の二流体ノズル（25）を駆動するようにケーシング（111）内に固定された制御部（30）とを有している。ケーシング（111）は、ベース部材（111a）と上部カバー（111b）とを有している。図１は、ベース部材（111a）に上部カバー（111b）が装着された香り発生装置（110）の概略の斜視図である。上部カバー（111b）には、香料カートリッジ（10）の吹出部（23）に対応する位置（吹出部（23）のほぼ真上の位置）に、吹出孔（112）（空気吹出口（104））が形成されている。
【００２５】
上部カバー（111b）は天板を有する筒状部材であり、ベース部材（111a）に着脱可能に構成されている。上記制御部（30）はベース部材（111a）の内部に固定されている。ベース部材（111a）の上面には、上記香料カートリッジ（10）を着脱可能なカートリッジ装着部（113（102））が設けられている。香料カートリッジ（10）を着脱する具体的な構成としては、ベース部材（111a）の上面に香料カートリッジ（10）を載置して位置決めする部分を設けたものでもよいし、香料カートリッジを挿入保持する筒状部（図示せず）をベース部材（111a）の上面に形成したものでもよいし、その他の任意の構成を採用してもよい。
【００２６】
ベース部材（111a）の上面には、上記接続部（27）として用いられるケーシング側コネクタ（114）が突出している。上記香料カートリッジ（10）には、カートリッジ側コネクタ（115）が設けられている。カートリッジ側コネクタ（115）はケーシング側コネクタ（114）に接続可能に構成されている。
【００２７】
図１に示すように、この香り発生装置（110）では、複数（図１の例では３つ）の香料カートリッジ（10）がケーシングに装填されている。複数の香料カートリッジ（10）のうち、カートリッジ側コネクタ（115）がケーシング側コネクタ（114）に接続されているのは１つのみである。
【００２８】
カートリッジ側コネクタ（115）がケーシング側コネクタ（114）に接続された香料カートリッジ（10）では、制御部（30）のポンプ（32）を起動することによって微粒化された香料が上記吹出孔（112）から上方へ吹き出される。この香り発生装置（110）では、上記吹出口（23）と吹出孔（112）との間の空間が、香料のミストを含む空気の流れる空気通路（116（103））になっている。したがって、空気通路（116）の空気に香りが付与された後、空気が吹出孔（112）を通って香り発生装置（110）から機外へ流出する。
【００２９】
なお、空気通路（116）にファン（図示せず）などを設けて、香りを与えた空気をファンで香り発生装置（110）から吹き出すようにしてもよい。
【００３０】
−運転動作−
この実施形態１において、カートリッジ側コネクタ（115）をケーシング側コネクタ（114）に接続した香料カートリッジ（10）（香料微粒化ユニット（20））は、制御部（30）により、香料カートリッジ（10）の外部から駆動され、香りが付与された空気を室内などの空間へ供給する。
【００３１】
香りを変更する場合は、異なる香料を有する香料カートリッジ（10）のカートリッジ側コネクタ（115）をケーシング側コネクタ（114）に接続し、制御部（30）で二流体ノズル（25）を駆動することにより、その香料カートリッジ（10）と一体になった吹出口（23）から微粒化された香料が吹き出される。このとき各香料カートリッジ（10）が、香料タンク（24）と二流体ノズル（25）と吹出口（23）とを一体に有しているので、新たに使用する香料と、前に使用していた香料とが混ざるのを抑制できる。
【００３２】
−実施形態１の効果−
本実施形態の香料微粒化ユニットは、１種類の香料が貯留される貯留部（11）と、上記貯留部（11）内の香料を微粒化する機構を備えた微粒化部（12）と、上記微粒化部（12）を構成する部材または微粒化部（12）とは別の部材に設けられ、微粒化した香料を吹き出す吹出部（13）と、上記貯留部（11）内の香料が微粒化部（12）を介して吹出部（13）へ供給される香料供給経路（14）と、上記微粒化部（12）を外部から制御する制御部（30）が、上記香料供給経路（14）以外の位置で接続されるように配置された接続部（15）と、を備え、香り発生装置や空気清浄機や空気調和装置の室内ユニットなどの空気供給装置に着脱して用いられる。
【００３３】
従来、空気供給装置で空気に香りを付与する場合、香料を交換しても、新たな香料の香りが元の香料の香りと混ざってしまうことがあった。
【００３４】
この実施形態１では、香料が、香料供給経路（14）を流れ、微粒化部（12）で微粒化して吹出部（13）から吹き出されるのに対して、制御部（30）が接続される接続部（15）は、香料供給経路（14）以外の位置、つまり香料が流れず接触しない位置に設けられている。したがって、それまで用いていたのとは異なる種類の香料を有する香料微粒化ユニットを制御部（30）に接続すると、吹出部（13）も含めて香料供給経路（14）の全体が交換されるので、異なる香料が混ざるのを抑制できる。
【００３５】
また、本実施形態では、二流体ノズル（25）を用いて液体香料を容易に微粒化でき、しかも香料容器から吹出口までの香料供給経路（14）を一体のユニット式に形成し、カートリッジとして交換できるようにしているので、複数の香りが混ざらない構成を簡単に実用化することが可能となる。
【００３６】
−実施形態１の変形例−
図３は、実施形態１の変形例に係る空気供給装置（100）である空気清浄機（120）の概略構成を示す断面図である。
【００３７】
この空気清浄機（120）では、ケーシング（121（101））の内部に、ファン（122）と、ファン（122）の吹出側に形成された空気通路（123（103））とが形成されている。空気通路（123）は、フィルタ等の機能部品（図示せず）を通過して浄化された空気が流れる通路である。空気通路（123）の下流側の端部は、空気が吹き出される空気吹出口（124（104））になっている。ケーシング（121）には、香料カートリッジ（10）を着脱するためのカートリッジ装着部（125（102））が設けられている。
【００３８】
カートリッジ装着部（125）は、空気通路（123）を流れる空気に香料の香りを与える位置に設けられている。具体的には、カートリッジ装着部（125）は、香料カートリッジ（10（20））の吹出口（23）が空気通路（123）から流出する空気へ香料を吹き出す位置に設けられている。
【００３９】
カートリッジ装着部（125）には、図１の例と同様に、接続部（27）を構成するケーシング側コネクタ（126）が設けられ、香料カートリッジ（10）のカートリッジ側コネクタ（図示せず）が接続されるように構成されている。空気通路（123）を区画する通路部材（123a）の外側には、図２で説明した制御部（30）が、図２の香料供給経路（26）を流れる香料と接触しないように設けられている。
【００４０】
この変形例においても、香りを変更する場合は、異なる香料を有する香料カートリッジ（10）のカートリッジ側コネクタ（115）をケーシング側コネクタ（114）に接続し、制御部（30）で新たな香料カートリッジ（10）の二流体ノズル（25）を駆動することにより、その香料カートリッジ（10）と一体になった吹出口（23）から微粒化された香料が吹き出される。そして、この変形例においても、各香料カートリッジ（10）が、香料タンク（24）と二流化ノズル（25）と吹出口（23）とを一体に有しているので、新たに使用する香料と、前に使用していた香料とが混じるのを抑制できる。
【００４１】
《参考技術１》
図４，図５に示す参考技術１について説明する。
【００４２】
参考技術１は、香料カートリッジ（10）である圧電式の香料微粒化ユニット（40）が装填された空気調和装置の室内ユニット（130）（空気供給装置（100））に関するものである。図４は室内ユニット（130）の概略構成を示す断面図、図５は香料カートリッジ（10）（香料微粒化ユニット（40））の構成図である。
【００４３】
〈香料微粒化ユニット〉
まず、図５に示す香料微粒化ユニット（40）について説明する。香料微粒化ユニット（40）は、香料を貯留する貯留部（41（11））と、香料を微粒化する微粒化部（42（12））と、微粒化した香料を吹き出す吹出口（43）（吹出部（13））とを備えている。
【００４４】
貯留部（41）は、円筒形状の密閉容器である香料タンク（44）により構成されている。香料タンク（44）は、本体部（44a）と蓋部（44b）を備え、内部に１種類の香料が貯留される。香料タンク（44）には、香料タンク（44）内の香料を微粒化する微粒化機構である圧電素子（ピエゾ素子）（45）を有する圧電式の上記微粒化部（42）が、香料配管（46）を介して装着されている。
【００４５】
微粒化部（42）は、香料配管（46）から香料が導入されるノズルヘッド（微粒化容器）（47）を備えている。ノズルヘッド（47）は、内部に香料の保持空間を有する。ノズルヘッド（47）は、図の下側に吹出口（43）（吹出部（13））を有し、図の上側に圧電素子（45）が装着されている。この実施形態では、吹出口（43）（吹出部（13））は、微粒化部（42）を構成する部材であるノズルヘッド（微粒化容器）（47）に設けられている。
【００４６】
この参考技術１では、香料タンク（44）、香料配管（46）、ノズルヘッド（47）及び吹出口（43）により、香料供給経路（48（14））が形成されている。
【００４７】
この構成において、圧電素子（45）にパルス電圧を印加すると、圧電素子（45）が変形と復元を繰り返してノズルヘッド（47）の内容積が縮小と復帰を繰り返す。このことにより、香料タンク（44）から香料供給経路（48（14））を流れてノズルヘッド（47）に流入した香料は、ノズルヘッド（47）の吹出口（43）から微量ずつ間欠的に押し出されて、微粒化した状態で吹出口（43）から吹き出されるようになっている。なお、パルス電圧の波形は適宜設定すればよく、特に限定する必要はない。
【００４８】
圧電素子（45）には、香料供給経路（48）の香料と接触しないように入力配線（35）の一端が接続されている。入力配線（35）の他端は制御部（電圧制御部）（30）に接続されている。入力配線（35）の途中には、接続部（15）であるコネクタ（49）が設けられている。コネクタ（49）は、ノズルヘッド（47）から引き出されたノズルヘッド側配線（35a）に接続されたノズルヘッド側コネクタ（49a）と、制御部（30）から引き出された制御部側配線（35b）に接続された制御部側コネクタ（49b）とからなり、ノズルヘッド側コネクタ（49a）に制御部側コネクタ（49b）が接続される。
【００４９】
〈空気調和装置の室内ユニット〉
図４に示す空気調和装置の室内ユニット（130）は、天井埋込型のユニットである。この室内ユニット（130）は、下側が開放された箱形のケーシング（131（101））を有し、ケーシング（131）は天井裏に固定される。ケーシング（131）の下端には空気吸込口（132a）を有する化粧パネル（132）が装着されている。ケーシング（131）の内部には、化粧パネル（132）の上方に、下から上へ向かって、フィルタ（133）、ベルマウス（134）及びファン（135）が設けられている。ファン（135）の周囲には室内熱交換器（136）が配置され、室内熱交換器（136）の下方にはドレンパン（137）が配置されている。化粧パネル（132）には、空気吸込口（132a）の外側に空気吹出口（132b（104））が形成されている。この室内ユニット（130）のケーシング（131）内には、空気吸込口（132a）からベルマウス（134）、ファン（135）、室内熱交換器（136）を通って空気吹出口（132b）に通じる空気通路（138（103））が形成されている。
【００５０】
室内ユニット（130）には、図５の香料微粒化ユニット（40）が香料カートリッジ（10）として装着されている。香料カートリッジ（10）は、香料タンク（44）とノズルヘッド（47）が一つのユニットとして構成されている。この香料カートリッジ（10）は、図４においてドレンパン（137）の外側に設けられたカートリッジ装着部（139（102））に着脱可能に装着されている。カートリッジ装着部（139）は、空気吹出口（132b）の開口の上方に設けられている。
【００５１】
香料カートリッジ（10）の香料微粒化動作を制御する制御部（30）は、室内ユニット（130）の内部に固定されている。図示の例では、制御部（130）はドレンパン（137）の内側に固定され、ベルマウス（134）とファン（135）の間に配置されている。制御部（30）と香料カートリッジ（10）は入力配線（35）で接続されている。入力配線（35）に設けられるコネクタは、図示していないが、香料カートリッジ（10）の着脱時に作業を容易に行えるように、ドレンパン（137）の外側寄りの位置に設けられている。香料カートリッジ（10）の吹出部（43）は、空気通路（138）にむかって微粒化された香料を吹き出すように配置されている。
【００５２】
この参考技術１において香料カートリッジ（10）の圧電素子（45）にパルス電圧を印加すると、室内熱交換器（136）を通って温度や湿度が調節された空気は、香りが付与されてから室内に供給される。
【００５３】
−運転動作−
この参考技術１において、カートリッジ装着部（139）に装着した香料カートリッジ（10）（香料微粒化ユニット（40））は、制御部（30）により、香料カートリッジ（10）の外部から駆動され、香りが付与された空調空気を室内などの空間へ供給する。
【００５４】
香りを変更する場合は、異なる香料を有する香料カートリッジ（10）をカートリッジ装着部（139）に装着し、制御部（30）で圧電素子（45）を駆動することにより、その香料カートリッジ（10）から微粒化された香料が吹き出される。香料カートリッジ（10）は、香料タンク（44）と圧電素子（45）と吹出口（43）とを一体に有するので、新たに使用する香料と、前に使用していた香料とが混じるのを抑制できる。
【００５５】
−参考技術１の効果−
この参考技術１においても、香料供給経路（48（14））には1種類の香料しか接触しない。したがって、それまで使用していた香料微粒化ユニット（40）を、他の香料を有する香料微粒化ユニット（40）に交換したときに、新たな香料がそれまで使用されていた香料に混ざるのを抑制できる。
【００５６】
また、温度や湿度を調整した空気を室内へ供給する空気調和装置の室内ユニット（130）において、室内に供給する空気に香りを与えることができ、しかも、香料カートリッジ（10）を交換したときに、前に使用していた香料カートリッジの香料と香りが混ざってしまうのを抑制できる。
【００５７】
−参考技術１の変形例−
図６に示す参考技術１の変形例は、香料カートリッジ（10）を空気調和装置の室内ユニット（130）に設けた点は図４の例と同じであるが、香料カートリッジ（10）を、ケーシング（131）の外に着脱できるように構成した例である。
【００５８】
この変形例において、香料カートリッジ（10）は、化粧パネル（132）の下面に形成されたカートリッジ装着部に着脱可能に取り付けられている。この変形例において、香料カートリッジ（10）の吹出部（43）は、空気通路（138）から吹き出される空気にむかって、微粒化された香料を吹き出すように配置されている。
【００５９】
なお、この変形例では制御部（30）の図示を省略しているが、ケーシング（130）に固定されている点は図４の例と同様である。
【００６０】
また、この変形例のその他の構成は図４の参考技術１と同じである。
【００６１】
この参考技術１の変形例において、カートリッジ装着部（139）に装着した香料カートリッジ（10）（香料微粒化ユニット（40））は、制御部（30）により、香料カートリッジ（10）の外部から駆動され、香りが付与された空調空気を室内などの空間へ供給する。
【００６２】
香りを変更する場合は、異なる香料を有する香料カートリッジ（10）をカートリッジ装着部（139）に装着し、制御部（30）で圧電素子（45）を駆動することにより、その香料カートリッジ（10）から微粒化された香料が吹き出される。香料カートリッジ（10）は、香料タンク（44）と圧電素子（45）と吹出口（43）とを一体に有するので、新たに使用する香料と、前に使用していた香料とが混じるのを抑制できる。
【００６３】
また、この変形例では、香料カートリッジ（10）を室内ユニット（130）の外部で簡単に交換できる。
【００６４】
《参考技術２》
図７に示す参考技術２について説明する。
【００６５】
参考技術２は、静電噴霧式の香料微粒化ユニット（50）に関するものである。この香料微粒化ユニット（50）は、香料を貯留する貯留部（51（11））と、香料を微粒化する微粒化部（52（12））と、微粒化した香料を吹き出す吹出口（53）（吹出部（13））とを備えている。
【００６６】
貯留部（51）は、円筒形状の密閉容器である香料タンク（54）により構成されている。香料タンク（54）は、本体部（54a）と蓋部（54b）を備え、内部に１種類の香料が貯留される。香料タンク（54）の内部には、香料タンク（45）内の香料を微粒化する微粒化機構である静電噴霧式の上記微粒化部（52）が設けられている。
【００６７】
微粒化部（52）は、噴霧ノズル（55a）と香料搬送部（ポンプ）（55b）とを有する。噴霧ノズル（53a）の周囲には筒状部材（55c）が配置されている。筒状部材（55c）の上端
面には対向電極（電圧印加部）（55d）が形成されている。
【００６８】
この実施形態において、香料タンク（54）、香料搬送部（55b）、静電噴霧ノズル（55a）、及び吹出口（53）により、香料供給経路（56（14））が形成されている。
【００６９】
この参考技術２において、液体香料を含む噴霧ノズルと外部に高電圧を印加すると、気液界面において、液体の表面張力と、液体に作用する静電気力の釣り合いで、微細な液糸が引き出され、その先端が微粒子に分裂して噴霧される。
【００７０】
噴霧ノズル（55a）と対向電極（55d）には、香料供給経路（56）の香料と接触しないように入力配線（36）の一端が接続されている。入力配線（36）の他端は制御部（高電圧制御部）（30）に接続されている。入力配線（35）の途中には、接続部（15）であるコネクタ（57）が設けられている。コネクタ（57）は、噴霧ノズル（55a）から引き出されたノズル側配線（36a）に接続されたノズルヘッド側コネクタ（57a）と、制御部（30）から引き出された制御部側配線（36b）に接続された制御部側コネクタ（57b）とからなり、ノズルヘッド側コネクタ（57a）に制御部側コネクタ（57b）が接続される。
【００７１】
この参考技術２においても、香料供給経路（56（14））には1種類の香料しか接触しない。したがって、それまで使用していた香料微粒化ユニット（50）を、他の香料を有する香料微粒化ユニット（50）に交換したときに、新たな香料がそれまで使用されていた香料に混ざるのを抑制できる。
【００７２】
《その他の実施形態》
上記実施形態については、以下のような構成としてもよい。
【００７３】
香料微粒化ユニットの微粒化方式は、上記各実施形態の方式に限らず、他の方式を採用してもよい。
【００７４】
−第１参考例−
図８に示す第１参考例は、超音波式の香料微粒化ユニット（60）に関するものである。この香料微粒化ユニット（60）は、香料を貯留する貯留部（61（11））と、香料を微粒化する微粒化部（62（12））と、微粒化した香料を吹き出す吹出口（63）（吹出部（13））とを備えている。
【００７５】
貯留部（61）は、可撓性を有する袋状の香料容器（64）により構成されている。香料容器（64）には、内部に１種類の香料が貯留される。香料容器（64）は、底部に超音波透過膜（65）を備えている。香料容器（64）は、作用水（67）が充填された振動発生容器（66）に保持されている。
【００７６】
微粒化部（62）は超音波振動子（62a）により構成されている。この超音波振動子（62a）は、入力配線（62b）を介して制御部（30）に接続されている。
【００７７】
この第１参考例において、超音波透過膜（65）と吹出口（63）との間に香料供給経路（68（14））が形成されている。
【００７８】
制御部（30）から超音波振動子（62a）に高周波の交流電圧を印加すると、超音波振動により発生した振動エネルギーが作用水（67）及び超音波透過膜（65）を介して液体香料が振動する。このことにより、香料の表面が微粒化（霧化）され、微粒化された香料が吹出口（63）から吹き出される。
【００７９】
この第１参考例においても、香料供給経路（68（14））には1種類の香料しか接触しない。したがって、それまで使用していた香料微粒化ユニット（60）を、他の香料を有する香料微粒化ユニット（60）に交換したときに、新たな香料がそれまで使用されていた香料に混ざるのを抑制できる。
【００８０】
−第２参考例−
図９に示す第２参考例は、蒸気式の香料微粒化ユニット（70）に関するものである。この香料微粒化ユニット（70）は、香料を貯留する貯留部（71（11））と、香料を微粒化する微粒化部（72（12））と、微粒化した香料を吹き出す吹出口（73）（吹出部（13））とを備えている。
【００８１】
貯留部（71）は、香料容器（74）により構成されている。香料容器（74）には、内部に１種類の香料が貯留される。香料容器（74）は、底部に伝熱材（75）を介してヒータ（72a）の上に載置されている。
【００８２】
微粒化部（72）はヒータ（72a）により構成されている。このヒータ（72a）は、入力配線（72b）を介して制御部（30）に接続されている。
【００８３】
この第２参考例において、伝熱材（75）と吹出口（73）との間に香料供給経路（76（14））が形成されている。
【００８４】
制御部（30）からヒータ（72a）に電圧を印加すると、ヒータ（72a）が発熱する。ヒータ（72a）が発熱すると、熱が液体香料に伝達され、液体香料が沸騰して香料の蒸気が発生する。このことにより、香料の蒸気が吹出口（73）から吹き出される。
【００８５】
この第２参考例においても、香料供給経路（76（14））には1種類の香料しか接触しない。したがって、それまで使用していた香料微粒化ユニット（70）を、他の香料を有する香料微粒化ユニット（70）に交換したときに、新たな香料がそれまで使用されていた香料に混ざるのを抑制できる。
【００８６】
−第３参考例−
図１０に示す第３参考例は、遠心式の香料微粒化ユニット（80）に関するものである。この香料微粒化ユニット（80）は、香料を貯留する貯留部（81（11））と、香料を微粒化する微粒化部（82（12））と、微粒化した香料を吹き出す吹出口（83）（吹出部（13））とを備えている。
【００８７】
貯留部（71）は、上方が広がった有底の円錐状または角錐状の本体部（84a）と天板部（84b）とを有する香料容器（84）により構成されている。香料容器（84）には、内部に１種類の香料が貯留される。香料容器（84）は、本体部（84a）と天板部（84b）との間の角部に、数個の吹出口（83（13））を有している。
【００８８】
香料容器（84）には、底板の下面に回転軸（86）が固定されている。駆動軸（86a）には、モータ（85）の出力軸（85a）がカップリング（87）で連結されている。微粒化部（82）はモータ（85）により構成されている。このモータ（85）は入力配線（85b）を介して制御部（30）に接続されている。
【００８９】
この第３参考例において、香料容器（84）の底部と吹出口（83）との間に香料供給経路（88（14））が形成されている。
【００９０】
制御部（30）からモータ（85）に電圧を印加すると、モータ（85）が回転する。モータ（85）が回転すると、回転による遠心力によって香料が香料容器（84）の本体部（84a）の傾斜に沿って上方へ移動し、吹出口（83）に達すると、香料が微量ずつ、微粒化された状態で周囲へ吹き出される。
【００９１】
この第３参考例においても、香料供給経路（88（14））には1種類の香料しか接触しない。したがって、それまで使用していた香料微粒化ユニット（80）を、他の香料を有する香料微粒化ユニット（80）に交換したときに、新たな香料がそれまで使用されていた香料に混ざるのを抑制できる。
【００９２】
−第４参考例−
上記実施形態１、実施形態１の変形例、及び参考技術１は、それぞれ、香料カートリッジ（10）が装填された香り発生装置（110）、空気清浄機（120）、及び空気調和装置の室内ユニット（130）に関するものであり、いずれも空気を送り出す空気供給装置（100）である。これらの空気供給装置（100）は、必ずしも香料カートリッジ（10）が装填された装置でなくてもよく、ケーシング（101）と制御部（30）とを備えた形態であって、香料カートリッジ（10）が装填されていない状態を製品とする装置であってもよい。
【００９３】
以上、実施形態および変形例を説明したが、特許請求の範囲の趣旨および範囲から逸脱することなく、形態や詳細の多様な変更が可能である。また、以上の実施形態および変形例は、本開示の対象の機能を損なわない限り、適宜組み合わせたり、置換したりしてもよい。
【産業上の利用可能性】
【００９４】
以上説明したように、本開示は、香料微粒化ユニット及び空気供給装置について有用である。
【符号の説明】
【００９５】
10    香料カートリッジ（香料微粒化ユニット）
11    貯留部
12    微粒化部
13    吹出部
14    香料供給経路
15    接続部
22    流体混合式微粒化部
25    二流体ノズル
25a   流入口
25b   吸入口
30    制御部
42    圧電式微粒化部
45    圧電素子
47    ノズルヘッド（微粒化容器）
52    静電噴霧式微粒化部
55a   噴霧ノズル
55d   電圧印加部
100   空気供給装置
101   ケーシング
102   カートリッジ装着部
103   空気通路
104   空気吹出口
【手続補正２】
【補正対象書類名】特許請求の範囲
【補正対象項目名】全文
【補正方法】変更
【補正の内容】
【特許請求の範囲】
【請求項１】
１種類の香料が貯留される貯留部（11）と、
上記貯留部（11）内の香料を微粒化する機構を備えた微粒化部（12）と、
上記微粒化部（12）を構成する部材または微粒化部（12）とは別の部材に設けられ、微粒化した香料を吹き出す吹出部（13）と、
上記貯留部（11）内の香料が微粒化部（12）を介して吹出部（13）へ供給される香料供給経路（14）と、
上記微粒化部（12）を外部から制御する制御部（30）が、上記香料供給経路（14）以外の位置で接続されるように配置された接続部（15）と、
を備え、
上記貯留部（11）は、駆動流体を該貯留部（11）の内部へ導入する接続部（15）を有し、
上記制御部（30）は、駆動流体を上記貯留部（11）へ供給する駆動流体供給管（34）の一端が接続され、
上記駆動流体供給管（34）の他端が上記接続部に接続されている
ことを特徴とする香料微粒化ユニット。
【請求項２】
請求項１において、
上記微粒化部（12）は、上記接続部（15）に設けられた駆動流体の流入口（25a）と、上記貯留部（11）内の香料を吸入する吸入口（25b）とを備え、駆動流体を香料に混合して香料を微粒化する二流体ノズル（25）を備えた流体混合式微粒化部（22）である
ことを特徴とする香料微粒化ユニット。
【請求項３】
貯留部（11）内に貯留された１種類の香料を微粒化する微粒化部（12）と、微粒化された香料を吹き出す吹出部（13）とを一体に有する香料カートリッジ（10）と、
上記香料カートリッジ（10）が装着されるカートリッジ装着部（102）と、空気通路（103）を流れる空気が吹き出される空気吹出口（104）とを有するケーシング（101）と、を備えた空気供給装置であって、
上記香料カートリッジ（10）は、請求項１または２の香料微粒化ユニットにより構成され、
上記カートリッジ装着部（102）は、上記香料カートリッジ（10）が上記空気通路（103）を流れる空気に香りを与える位置で上記ケーシング（101）に着脱可能に構成され、
上記制御部（30）は上記ケーシング（101）に固定されている
ことを特徴とする空気供給装置。
【請求項４】
貯留部（11）内に貯留された１種類の香料を微粒化する微粒化部（12）と、微粒化された香料を吹き出す吹出部（13）とを一体に有する香料微粒化ユニットにより構成された香料カートリッジ（10）が装着され、上記香料微粒化ユニットが請求項１または２の香料微粒化ユニットであるカートリッジ装着部（102）と、
空気通路（103）を流れる空気が吹き出される空気吹出口（104）と、を有するケーシング（101）を備えた空気供給装置であって、
上記カートリッジ装着部（102）は、上記香料カートリッジ（10）が上記空気通路（103）を流れる空気に香りを与える位置で上記ケーシング（101）に着脱可能に構成され、
上記制御部（30）は上記ケーシング（101）に固定されている
ことを特徴とする空気供給装置。